(57)【特許請求の範囲】
【請求項１】
基礎床上に配置されることで、前記基礎床上に空間を隔てて構成される床面の少なくとも一部を形成するフロアパネルであって、
前記床面を形成する際に前記基礎床に対して上方を向く第一面から貫通する開口部が形成されるフロアパネル本体と、
前記開口部に取り付けられ、前記床面の上方に設置される受電ユニットに対して非接触で電力供給を行う送電ユニットを収容する収容箱と、
前記開口部を閉塞するカバー部と、を備え、
前記収容箱の底壁部が、前記基礎床に対して直接的に支持されているフロアパネル。
【請求項２】
導電性材料によって構成され、前記収容箱を覆うように配置されるシールド部材を備える請求項１に記載のフロアパネル。
【請求項３】
前記フロアパネル本体を前記基礎床に対して支持する支持部材を備える請求項１に記載のフロアパネル。
【請求項４】
前記収容箱は、前記収容箱を内外に貫通する貫通孔が形成される請求項１又は請求項２に記載のフロアパネル。
【発明の詳細な説明】
【技術分野】
【０００１】
本発明は、フロアパネルに関する。
【背景技術】
【０００２】
オフィス等における建物には、ＯＡ機器等の配線を収容するいわゆる二重床としてＯＡフロアが利用されている。このＯＡフロアでは、基礎床の上に一定の高さの空間をとって別の床面を形成している。そのため、この床面と基礎床との間に配線や電源等の部材を敷設することができる。
【０００３】
ところが、床面の下に電源を設置すると、床面の上に配置された電子機器に対して電力を供給するために、電源に接続された電源ケーブルやコンセント等のアウトレットを床面の上に出す必要がある。そして、床面の上に電源ケーブルやアウトレットが出てしまうことで室内の見栄えが悪くなってしまう。さらに、電源ケーブルやアウトレットを椅子や棚などの什器等によって踏み潰してしまうことで電源ケーブルやアウトレット等の部材の損傷を招いたりする恐れがある。
【０００４】
電源ケーブルやアウトレットを床面の上方に出さないような構造としては、例えば、特許文献１に記載の床構造が挙げられる。この床構造では、床材の下に高周波磁界を発生させる給電装置を配置して、床面の上に配置された什器内の受電装置に対して非接触で電力供給を行っている。このような構造とすることで、床下から床上に向かって電源ケーブルを出す必要が無くなり、室内の意匠性が損なわれたり、電源ケーブル等の部材を踏み潰して損傷させてしまったりすることを防止している。
【先行技術文献】
【特許文献】
【０００５】
【特許文献１】特開２０１２−０１６２５１号公報
【発明の概要】
【発明が解決しようとする課題】
【０００６】
しかしながら、特許文献１のような構造は、室内を覆う床材の下に給電装置のような送電ユニットを埋設している。そのため、室内のレイアウト変更に伴って受電装置の位置を変更するために送電ユニットの位置を変更しようとした場合、床材を剥がして送電ユニットを取り出す必要がある。また、給電装置のような送電ユニットは、高周波インバータや整流器等の電子部品を多く含むため、故障するおそれがある。ところが、このような場合でも、送電ユニットの位置を変更する場合と同様に、故障するたびに床材を剥がして送電ユニットを取り出す必要がある。したがって、床材を剥がすために送電ユニットを取り出すたびの負担が大きく、送電ユニットの位置を変更したり、送電ユニットをメンテナンスしたりすることが難しいという問題がある。
【０００７】
本発明は、上述する問題点を解決するためになされたものであって、床面の上に部材を配置せずに電力が供給でき、送電ユニットの移動が容易でメンテナンス性を向上させることが可能なフロアパネルを提供するものである。
【課題を解決するための手段】
【０００８】
上記課題を解決するために、本発明は以下の手段を提案している。
本発明の一の態様のフロアパネルは、基礎床上に配置されることで、前記基礎床上に空間を隔てて構成される床面の少なくとも一部を形成するフロアパネルであって、前記床面を形成する際に前記基礎床に対して上方を向く第一面から貫通する開口部が形成されるフロアパネル本体と、前記開口部に取り付けられ、前記床面の上方に設置される受電ユニットに対して非接触で電力供給を行う送電ユニットを収容する収容箱と、前記開口部を閉塞するカバー部と、を備え、前記収容箱の底壁部が、前記基礎床に対して直接的に支持されている。
【０００９】
このような構成によれば、収容箱内に収容した送電ユニットによって非接触で受電ユニットに電力を供給できるために、電力を床面上の受電ユニットに供給するために送電ユニットと受電ユニットとを接続する部材が床面の上に配置されない。したがって、第一面によって形成される床面の上方に配置される受電ユニットに対して電力を供給しながら、床面よりも上方に配置される部材の量が低減できる。また、フロアパネル本体の配置を組み替えるだけで、送電ユニットを任意の位置に移動させることができる。したがって、オフィス等の室内におけるレイアウト変更に併せて、受電ユニットの位置を変更した場合であっても、送電ユニットを対応させて移動させることが容易にできる。さらに、フロアパネル本体を取り外したり、カバー部を取り外したりすることで、送電ユニットが故障した場合に、送電ユニットを容易に交換したり修理したりすることができる。
【００１０】
また、上記フロアパネルでは、導電性材料によって構成され、前記収容箱を覆うように配置されるシールド部材を備えていてもよい。
【００１１】
このような構成によれば、収容箱を覆うようにシールド部材が配置されていることで、収容箱内の送電ユニットから発生する電磁波が収容箱の外部に漏れて、基礎床と床面との間の空間に配置される配線に影響を及ぼすことを防止できる。
【００１２】
また、上記フロアパネルでは、前記フロアパネル本体を前記基礎床に対して支持する支持部材を備えていてもよい。
【００１３】
このような構成によれば、収容箱を大きく形成することで、フロアパネル本体の強度が低下してしまっても、支持部材によってフロアパネル本体を基礎床に対して支持しているために、フロアパネル本体の強度を確保することができる。したがって、物体がフロアパネル本体の上に載置されることで、フロアパネル本体に対して第一面から基礎床に向かって負荷が生じた場合であっても、フロアパネル本体上の物体を安定して支持することができる。
【００１４】
さらに、上記フロアパネルでは、前記収容箱は、前記収容箱を内外に貫通する貫通孔が形成されていてもよい。
【００１５】
このような構成によれば、収容箱を内外に貫通する貫通孔が形成されていることで、収容箱内に収容される送電ユニットに対して電力を供給するためのコード等の部材を収容箱から床面の上に出すことなく、基礎床と床面との間に空間に敷設することができる。したがって、床面の上方に配置される部材の量をより低減することができる。
【発明の効果】
【００１６】
本発明のフロアパネルによれば、送電ユニットをフロアパネル本体の収容箱に収容していることで、床面の上に部材を配置せずに電力が供給でき、送電ユニットの移動が容易でメンテナンス性を向上させることができる。
【図面の簡単な説明】
【００１７】
【図１】本発明の実施形態におけるＯＡフロアを説明する模式図である。
【図２】本発明の実施形態におけるフロアパネルを説明する模試図であり、同図（ａ）は、第一面側から見たフロアパネルを説明する上面図、同図（ｂ）は側面からフロアパネルを見た側面図である。
【図３】本発明の実施形態におけるカバー部を説明する模式図である。
【図４】本発明の実施形態における支持部材を説明する模式図である。
【発明を実施するための形態】
【００１８】
以下、本発明に係る実施形態について図１から図４を参照して説明する。
本実施形態のフロアパネル１は、オフィス等の室内にＯＡ機器に接続される配線Ｃ等の部材を収容するための二重床を形成するＯＡフロア１００に用いられている。本実施形態のＯＡフロア１００は、図１に示すように、床スラブ等によって形成された基礎床１００ａ上にフロアパネル１とともにメインフロアパネル３００が複数配置されることで、基礎床１００ａ上に空間を隔てて構成される床面１００ｂを形成している。具体的には、本実施形態のＯＡフロア１００は、基礎床１００ａに固定される支持脚２００と、支持脚２００を介して支持されるメインフロアパネル３００と、同じく支持脚２００を介して支持されて収容箱２１を有するフロアパネル１と、収容箱２１に収容される送電ユニット４と、床面１００ｂの上方に設置される受電ユニット４００とを備えている。また、本実施形態のＯＡフロア１００では、基礎床１００ａと床面１００ｂとの間の空間にＬＡＮケーブル等の配線Ｃが敷設されている。
【００１９】
以下、ＯＡフロア１００の各構成を説明する場合、特に断らない限りは、ＯＡフロア１００として各構成が設置された状態での位置関係に基づいて説明する。
【００２０】
支持脚２００は、基礎床１００ａに固定されており、メインフロアパネル３００やフロアパネル１を基礎床１００ａに対して空間を設けるよう支持する。具体的には、本実施形態の支持脚２００は、鉛直方向に向かって基礎床１００ａから垂直に延びる棒状部材である。支持脚２００は、一端が基礎床１００ａに固定されており、他端がメインフロアパネル３００やフロアパネル１に固定されている。
【００２１】
メインフロアパネル３００は、支持脚２００によって基礎床１００ａに対して空間を介して支持されている。具体的には、本実施形態のメインフロアパネル３００は、方形板状をなしており、四隅を支持脚２００によって支持されている。即ち、本実施形態のメインフロアパネル３００は、水平方向に複数配置されることで、鉛直方向の上方をむく一方の水平面が床面１００ｂを形成している。
【００２２】
フロアパネル１は、メインフロアパネル３００と同様に、支持脚２００によって基礎床１００ａに対して空間を介して支持されている。フロアパネル１は、複数のメインフロアパネル３００とともに並んで配置されることで床面１００ｂの一部を形成している。具体的には、本実施形態のフロアパネル１は、床面１００ｂを形成する際に、基礎床１００ａに対して上方を向く面から貫通する開口部２０が形成されるフロアパネル本体２と、開口部２０に取り付けられる収容箱２１と、収容箱２１を覆うシールド部材３と、開口部２０を閉塞するカバー部５と、フロアパネル本体２を支持する支持部材６とを備えている。
【００２３】
フロアパネル本体２は、基礎床１００ａに対して鉛直方向の上方を向く水平面である第一面１ａが形成されている。具体的には、本実施形態のフロアパネル本体２は、方形板状をなしており、第一面１ａが鉛直方向の上方を向くように配置された状態で、鉛直方向の下方から四隅を支持脚２００によって支持されている。フロアパネル本体２は、中心部分に鉛直方向に貫通する方形状の開口部２０が形成されている。
【００２４】
収容箱２１は、フロアパネル本体２に対して、鉛直方向の下方から開口部２０に一体に取り付けられている。即ち、本実施形態の収容箱２１は、鉛直方向の上方から見た場合に、図２（ａ）に示すように、フロアパネル本体２の外周に対して平行となるような断面方形状をなして、鉛直方向の下方に向かって凹んでいる。
【００２５】
収容箱２１は、第一面１ａから基礎床１００ａまで垂直に凹んでいる。具体的には、本実施形態の収容箱２１は、第一面１ａから垂直に基礎床１００ａに向かって延びる四つの収容箱側壁部２１ａと、四つの収容箱側壁部２１ａを繋ぐ収容箱底壁部２１ｂとによって形成されている。即ち、収容箱２１は、内部に直方状の空間を形成するように鉛直方向の上方が開放された箱形状をなし、開放されている部分が開口部２０に一体に取り付けられている。収容箱２１は、ポリカーボネート等の樹脂材料のように、電力の電送を阻害せず、強度の高い材料によって構成される。
【００２６】
収容箱側壁部２１ａは、開口部２０の一辺から第一面１ａに対して垂直に鉛直方向の下方に向かって延びている。収容箱側壁部２１ａは、長辺が方形状をなす開口部２０の一辺と同じ長さで、短辺が床面１００ｂから基礎床１００ａまでの深さと同じ長さとなるような矩形平板状に形成されている。
収容箱底壁部２１ｂは、第一面１ａと平行な面を形成するように四つの収容箱側壁部２１ａに対して一体に繋がる方形板状に形成されている。本実施形態では、収容箱底壁部２１ｂは、基礎床１００ａに接して配置されている。
【００２７】
また、収容箱２１の収容箱側壁部２１ａには、収容箱２１の内外に貫通する貫通孔２１ｃが形成されている。
貫通孔２１ｃは、断面円形状をなして収容箱側壁部２１ａを水平方向に貫通するよう形成されている。
【００２８】
シールド部材３は、導電性材料によって構成され、収容箱２１の内面を覆うように配置されている。本実施形態のシールド部材３は、金属材料であるアルミニウムで構成された板状部材であり、収容箱側壁部２１ａや収容箱底壁部２１ｂに隙間なく貼り付けられている。
【００２９】
カバー部５は、第一面１ａと同一面となるようフロアパネル本体２に形成された開口部２０を閉塞する。本実施形態のカバー部５は、図３に示すように、第一面１ａと同じ高さで開口部２０を閉塞するカバー部本体５１と、カバー部本体５１を収容箱２１内で支持するカバー支持部５２とを有する。
【００３０】
本実施形態のカバー部本体５１は、方形状をなす開口部２０よりもわずかに小さい方形平板状をなしている。
本実施形態のカバー支持部５２は、カバー部本体５１の鉛直方向の下方を向く面である裏面側から収容箱２１内でカバー部本体５１を支持している。具体的には、カバー支持部５２は、カバー部本体５１の裏面の中央部分から矩形平板状をなして垂直に延びている。カバー支持部５２は、カバー部５によって収容箱２１を閉塞した場合に、カバー部本体５１の鉛直方向の上方を向く面である表面が、フロアパネル本体２から飛び出さずに、第一面１ａと同じ位置となって同一面となるように長さに形成されている。
【００３１】
支持部材６は、フロアパネル本体２に一体に固定されており、フロアパネル本体２を基礎床１００ａに対して支持する。本実施形態の支持部材６は、収容箱２１の周りに複数配置されている。本実施形態の支持部材６は、図２に示すように、三つの収容箱側壁部２１ａに隣接して配置されている。本実施形態の支持部材６は、フロアパネル本体２に固定される支持部材本体６１と、支持部材本体６１を支持する複数の支持部材脚部６２とを有する。
【００３２】
支持部材本体６１は、図４に示すように、矩形平板状に形成されている。具体的には、本実施形態の支持部材本体６１は、長辺が方形状をなす開口部２０の一辺と同じ長さとなるような矩形平板状に形成されている。支持部材本体６１は、最も大きい矩形状をなす平面でフロアパネル本体２の第一面１ａと反対側の鉛直方向の下方を向く面に対して一体的に固定されている。
【００３３】
支持部材脚部６２は、支持部材本体６１から垂直に延びるよう形成されている。本実施形態の支持部材脚部６２は、短辺が支持部材本体６１の短辺の長さと同じで、支持部材６がフロアパネル本体２に固定された際に、長辺が床面１００ｂから基礎床１００ａまでの深さと同じ長さとなるような矩形平板状に形成されている。支持部材脚部６２は、支持部材本体６１の長辺に沿った方向に離間して複数固定されている。
【００３４】
送電ユニット４は、収容箱２１内に収容されており、床面１００ｂの上方に設置される受電ユニット４００に対して非接触で電力供給を行う。即ち、送電ユニット４は、受電ユニット４００に対して、金属接点やコネクタなどの物理的な接続を介さず電力を伝送する。本実施形態の送電ユニット４は、例えば、電磁誘導型の非接触電力伝送を用いて受電ユニット４００に電力を伝送する。本実施形態では、収容箱２１内には二つの送電ユニット４が間にカバー支持部５２を挿入可能な間隔を開けて隣接して収容されている。具体的には、本実施形態の送電ユニット４は、送電ユニット本体４１と、送電ユニット本体４１を収容する外装部４２と、送電ユニット本体４１に電力を供給する電源コード４３とを有する。
【００３５】
本実施形態の送電ユニット本体４１は、大型のコイルが用いられる。
外装部４２は、直方状をなす箱部材であり、内部に送電ユニット本体４１を収容している。外装部４２は、ポリカーボネート等の樹脂材料のように、電力の電送を阻害せず、強度の高い材料によって構成される。外装部４２は、内外に貫通して電源コード４３を挿通させる挿通孔が形成されている。  
【００３６】
電源コード４３は、送電ユニット本体４１に接続されており、送電ユニット本体４１に対して電力を供給する。電源コード４３は、外装部４２の外部から挿通孔を介して外装部４２内の送電ユニット本体４１に一端が繋がれている。電源コード４３は、図２（ｂ）に示すように、収容箱２１の貫通孔２１ｃを通って収容箱２１の外部の基礎床１００ａと床面１００ｂとの間に空間に他端が延びており、子の他端が不図示の電源部に接続されている。
【００３７】
受電ユニット４００は、床面１００ｂの上方に載置されるようフロアパネル１上に設置される。本実施形態の受電ユニット４００は、送電ユニット４に近づいて配置されるように、カバー部５上に載置される。本実施形態の受電ユニット４００は、送電ユニット４と同様に内部に大型コイルを有している。
【００３８】
次に、上記構成のフロアパネル１の作用について説明する。
上記のような本実施形態のＯＡフロア１００では、複数のメインフロアパネル３００とともに、フロアパネル１を支持脚２００によって四隅を支持しながら隙間なく配置する。これにより、基礎床１００ａ上に所定の空間を隔てて床面１００ｂが構成される。具体的には、メインフロアパネル３００とともに配置される前のフロアパネル１は、収容箱２１内に送電ユニット４を収容し、外装部４２から延びる電源コード４３が貫通孔２１ｃから収容箱２１の外部に出された状態で、カバー支持部５２を隣接する外装部４２に間に挿入することで、カバー部本体５１によって開口部２０が閉塞されている。そして、この状態のフロアパネル１が、メインフロアパネル３００とともに並べて配置されることで、床面１００ｂが構成される。また、貫通孔２１ｃから延びている電源コード４３は、基礎床１００ａ上に沿って不図示に電源部まで接続される。さらに、ＬＡＮケーブル等の他の配線Ｃも基礎床１００ａ上に沿って敷設される。
【００３９】
その後、メインフロアパネル３００とフロアパネル１が配置されて床面１００ｂが構成された状態で、カバー部５上に受電ユニット４００を設置する。そして、電源コード４３を介して電源部から送電ユニット本体４１に電力が供給されることで、コイルによって磁束を発生させる。この磁束を媒体として送電ユニット４の送電ユニット本体４１であるコイルから電磁誘導によって受電ユニット４００のコイルに対して電力が送電される。電力が送電された受電ユニット４００を介して床上に配置されるＯＡ機器等の各種装置に電力が供給される。
【００４０】
上記のようなフロアパネル１では、収容箱２１内に収容した送電ユニット４によって非接触で受電ユニット４００に電力を供給できるために、電力を床面１００ｂ上の受電ユニット４００に供給するために送電ユニット４と受電ユニット４００と接続するケーブルやコンセント等の部材が床面１００ｂの上に配置されない。したがって、第一面１ａによって形成される床面１００ｂの上方に配置される受電ユニット４００に対して電力を供給しながら、床面１００ｂよりも鉛直方向の上方に配置されるケーブルやコンセント等の部材の量を低減することができる。そのため、電力を供給するためのケーブルやアウトレット等の部材によって見栄えが悪化して室内の意匠性が損なわれてしまうことを抑制できる。また、床面１００ｂ上にケーブル等の部材を配置する必要が無いため、ケーブル等の部材が什器によって踏み潰されて損傷してしまうことを抑制できる。
【００４１】
また、フロアパネル本体２の位置をメインフロアパネル３００と組み替えるだけで、送電ユニット４を任意の位置に移動させることができる。そのため、オフィス等の室内における送電ユニット４の位置を容易に変更することができる。したがって、オフィス等の室内におけるＯＡ機器や什器のレイアウト変更に併せて、受電ユニット４００の位置を変更した場合であっても、送電ユニット４を対応させて移動させることが容易にできる。
【００４２】
さらに、フロアパネル本体２を取り外すことで、送電ユニット４ごと床面から取り出すことが容易にできる。また、カバー部５を取り外すことで、送電ユニット４のみを取り出すことも容易にできる。そのため、送電ユニット４が故障した場合に、送電ユニット４を容易に交換したり修理したりすることができる。
これらにより、床面１００ｂの上に部材を配置せずに電力が供給でき、送電ユニット４の移動が容易でメンテナンス性を向上させることができる。
【００４３】
また、収容箱２１内に隙間なく覆うようにシールド部材３が貼り付けられていることで、送電ユニット４から発生する電磁波が収容箱２１の外部に漏れて、基礎床１００ａと床面１００ｂとの間の空間に配置されるＬＡＮケーブル等の配線Ｃに影響を及ぼすことを防止できる。
【００４４】
さらに、収容箱２１を大きく形成することで、フロアパネル本体２に対して開口部２０が大きくなってしまいフロアパネル本体２の強度が低下してしまっても、支持部材６によってフロアパネル本体２を鉛直方向の下方から支持しているために、フロアパネル本体２の強度を確保することができる。したがって、フロアパネル本体２の上に、受電ユニット４００や什器など物体が載置されたり、人が乗ったりすることで、フロアパネル本体２に対して第一面１ａから基礎床１００ａに向かって負荷が生じた場合であっても、フロアパネル本体２上の物体を安定して支持することができる。
【００４５】
また、収容箱２１の収容箱側壁部２１ａを内外に貫通する貫通孔２１ｃが形成されていることで、収容箱２１内に収容される送電ユニット４に対して電力を供給するための電源コード４３を収容箱２１から床面１００ｂの上に出すことなく、基礎床１００ａと床面１００ｂとの間に空間に敷設することができる。したがって、床面１００ｂの上方に配置される部材の量をより低減することができる。
【００４６】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、クレームの範囲によってのみ限定される。
【００４７】
なお、送電ユニット４から電源ユニットへの電力の電送方式は、本実施形態のように電磁誘導型に限定されるものではなく、非接触で電力を電送できればよい。例えば、同じコイルを用いた方式である磁界共鳴型や、電極を用いた電界共鳴・結合型等の方法を用い電力を電送してもよい。
【００４８】
また、収容箱２１は、本実施形態のようにフロアパネル本体２の第一面１ａから内部に直方状の空間を形成するように凹んで形成される構造に限定されるものではなく、第一面１ａから送電ユニット４を収容可能に形成されていればよい。例えば、第一面１ａから内部に半球状の空間を形成するように凹んで形成されていたり、フロアパネル本体２と一体をなして第一面１ａから窪むように形成されていたりしてもよい。
【００４９】
さらに、収容箱２１を覆うシールド部材３は、本実施形態のように収容箱２１の内面に貼り付けられる構造に限定されるものではなく、収容箱２１から外部に向かって電磁波等が漏れてしまうことを低減できるような構造であればよい。例えば、シールド部材３は、外部から収容箱２１を覆うように配置されていてもよい。また、収容箱２１やフロアパネル本体２が、金属等の導電性材料によって構成され、収容箱２１やフロアパネル本体２自体がシールド部材３としての機能を有していてもよい。
【００５０】
また、メインフロアパネル３００やフロアパネル１は本実施形態のように四隅が支持脚２００によって支持される構造に限定されるものではなく、基礎床１００ａ上に空間を隔てて床面１００ｂが形成できるように配置されていればよい。例えば、メインフロアパネル３００やフロアパネル１が鉛直方向に厚みを有して内部が中空状に形成されていることで、メインフロアパネル３００やフロアパネル１を基礎床１００ａ上に置くだけで、基礎床１００ａ上に空間を隔てて床面１００ｂが形成されるような構造であってもよい。
【符号の説明】
【００５１】
１００…ＯＡフロア  １００ａ…基礎床  １００ｂ…床面  ２００…支持脚  ３００…メインフロアパネル  １…フロアパネル  １ａ…第一面  ２…フロアパネル本体  ２０…開口部  ２１…収容箱  ２１ａ…収容箱側壁部  ２１ｂ…収容箱底壁部  ２１ｃ…貫通孔  ３…シールド部材  ４…送電ユニット  ４１…送電ユニット本体  ４２…外装部  ４３…電源コード  ５…カバー部  ５１…カバー部本体  ５２…カバー支持部  ６…支持部材  ６１…支持部材本体  ６２…支持部材脚部  ４００…受電ユニット  Ｃ…配線
【図１】
0006497643.tif 000002
【図２】
0006497643.tif 000003
【図３】
0006497643.tif 000004
【図４】
0006497643.tif 000005